(57)【要約】【課題】オートクレーブ滅菌を行う前に、バッテリの取り出し忘れを防止し、オートクレーブ滅菌を安全で確実に行うこと。【解決手段】バッテリ装置３内部と外部を連通または閉鎖可能な弁体３２ｅを連通孔３２ｄに設け、たとえば使用時には、この弁体３２ｅとバッテリ収容部３３内に収容されたバッテリ３４との接触および蓋体３５の閉塞動作によって、バッテリ装置３内部と外部との連通を閉鎖し、また、たとえばオートクレーブ滅菌時には、バッテリ３４がバッテリ収容部３３から取り外されて、弁体３２ｅとバッテリ３４とが非接触になると、バッテリ装置３内部と外部とを連通させる。【選択図】        図３
2006115909.tif 000002
【特許請求の範囲】
【請求項１】
電気により作動する機能実行手段と、
前記機能実行手段に電気を供給するバッテリ手段を収容するための収容部を形成し、前記機能実行手段と電気的に導通する電極部を有する収容手段と、
前記収容手段に設けられ、前記収容手段の内部と外部とを連通または閉鎖可能な連通手段と、
を備えることを特徴とするバッテリ装置。
【請求項２】
前記連通手段は、
前記バッテリ手段と接触可能な弁体と、
前記弁体を前記装置内部に付勢する付勢手段と、
を有し、前記弁体は、前記バッテリ手段との接触時に、前記装置内部と外部との連通を閉鎖させ、前記バッテリ手段との非接触時に、前記付勢手段の付勢力によって前記装置内部と外部とを連通させることを特徴とする請求項１に記載のバッテリ装置。
【請求項３】
前記連通手段は、前記装置外部が内部より所定圧力以上の陰圧になった場合に、前記装置内部と外部とを連通させる逆止弁を有することを特徴とする請求項１に記載のバッテリ装置。
【請求項４】
前記連通手段は、少なくとも一部が前記バッテリ手段の電極部が接触する電極からなることを特徴とする請求項１〜３のいずれか一つに記載のバッテリ装置。
【請求項５】
電気により作動する機能実行手段と、
前記機能実行手段に電気を供給するバッテリ手段を収容するための収容部を形成し、前記機能実行手段と電気的に導通する電極部を有する収容手段と、
前記収容手段に設けられ、前記収容手段の内部と外部とを連通または閉鎖可能な連通手段と、
を備えるバッテリ装置と、
前記所定対象装置としての内視鏡操作部と、
前記バッテリ装置内部と前記内視鏡操作部内部を連通させる連通孔と、
を備えることを特徴とする内視鏡装置。
【請求項６】
前記バッテリ装置は、前記所定対象装置に装着される装着手段を、
さらに備えることを特徴とする請求項５に記載の内視鏡装置。
【請求項７】
前記連通手段は、
前記バッテリ手段と接触可能な弁体と、
前記弁体を前記バッテリ装置内部に付勢する付勢手段と、
を有し、前記弁体は、前記バッテリ手段との接触時に、前記バッテリ装置内部と前記内視鏡操作部内部との連通を閉鎖させ、前記バッテリ手段との非接触時に、前記付勢手段の付勢力によって前記バッテリ装置内部と前記内視鏡操作部内部とを連通させることを特徴とする請求項５または６に記載の内視鏡装置。
【請求項８】
前記連通手段は、前記バッテリ装置外部が内部より所定圧力以上の陰圧になった場合に、前記バッテリ装置内部と外部とを連通させる逆止弁を有することを特徴とする請求項５または６に記載の内視鏡装置。
【請求項９】
前記連通手段は、少なくとも一部が前記バッテリ手段の電極部が接触する電極からなることを特徴とする請求項５〜８のいずれか一つに記載の内視鏡装置。
【発明の詳細な説明】
【技術分野】
【０００１】
本発明は、１次電池または２次電池として使用されるバッテリ手段（以下、単に「バッテリ」という）を有するバッテリ装置および内視鏡装置に関するものである。
【背景技術】
【０００２】
たとえば、従来の乾電池などのバッテリは、所定の装置に設けられた正極および負極の電極を備えたバッテリ収容ケースに収容されており、これら電極および電極に繋がる導電線などを介して電気的に接続された所定の機能を実行する機能実行手段としての負荷装置に電力を供給することで、この機能実行手段の駆動を可能にしている。
【０００３】
ところが、近年では、このような構成のバッテリ収容ケースを加圧蒸気状態の外部環境化に配置する状況が発生する場合が考えられる。このような状況としては、バッテリを、たとえば被検体に対する医療行為に使用する際に、滅菌を必要とする場合などが考えられる。このような場合には、一般的に用いられている、たとえばステンレス鋼などの金属やプラスチック材質のバッテリ収容ケースにバッテリを収容する構成では、外部からの蒸気がバッテリ内に侵入してしまって、金属部材に錆が発生し、摺動部の摺動力量が大きくなったり、電気的な接点部の導通抵抗が低くなってしまう虞があった。たとえば、機能実行装置として特許文献１に示す医療用の内視鏡装置においては、バッテリ収容ケースにバッテリを収容して、負荷装置であるランプとバッテリを電気的に接続させて、ランプに電力を供給するとともに、接続部、たとえばバッテリ収容ケースとランプ室ケースとの接続部などをＯリングでシールすることで水密に構成されている。
【０００４】
この内視鏡装置では、このランプからの出射光をライトガイドファイバなどに導光し、ライト部先端側の照明窓からこの導光された照明光を出射させて、被検者の被検部位である胃、大腸などの臓器の内部（体腔内）を照明し、その反射光を内視鏡装置に取り込むことで、医者もしくは看護士による観察を可能にしていた。
【０００５】
【特許文献１】特開平９−５６６７２号公報
【発明の開示】
【発明が解決しようとする課題】
【０００６】
しかしながら、現状の医療においては、たとえば高温度と圧力を加えた加圧水蒸気を生成し、この水蒸気によって、内視鏡装置を蒸気滅菌（オートクレーブ滅菌）してから、被検者に対して使用する状況が生じる場合がある。このオートクレーブ滅菌では、たとえば１３５℃に加熱され、かつ２．２気圧に加圧された加圧水蒸気で、内視鏡装置を２０分間加熱して滅菌するので、水蒸気がＯリングを通過して内部に侵入してしまう。すなわち、Ｏリングでは、蒸気浸入を完全に防ぎ、内部の水密を保つことができず、上述したごとく、金属部材に錆が発生し、これによって摺動部の摺動力量が大きくなったり、電気的な接点部の導通抵抗が低下する場合があり問題であった。そこで、オートクレーブ滅菌を行う際には、バッテリをバッテリ収容ケースから取り出す必要があるが、作業者がバッテリの取り出しを忘れてしまうと、やはり上記問題が発生してしまうこととなる。
【０００７】
本発明は、上記問題に鑑みてなされたものであって、オートクレーブ滅菌を行う前に、バッテリの取り出し忘れを防止し、オートクレーブ滅菌を安全で確実に行うことができるバッテリ装置および内視鏡装置を提供することを目的とする。
【課題を解決するための手段】
【０００８】
上述した課題を解決し、目的を達成するために、本発明にかかるバッテリ装置は、電気により作動する機能実行手段と、前記機能実行手段に電気を供給するバッテリ手段を収容するための収容部を形成し、前記機能実行手段と電気的に導通する電極部を有する収容手段と、前記収容手段に設けられ、前記収容手段の内部と外部とを連通または閉鎖可能な連通手段と、を備えることを特徴とする。
【０００９】
また、請求項２の発明にかかるバッテリ装置は、上記発明において、前記連通手段は、前記バッテリ手段と接触可能な弁体と、前記弁体を前記装置内部に付勢する付勢手段とを有し、前記弁体は、前記バッテリ手段との接触時に、前記装置内部と外部との連通を閉鎖させ、前記バッテリ手段との非接触時に、前記付勢手段の付勢力によって前記装置内部と外部とを連通させることを特徴とする。
【００１０】
また、請求項３の発明にかかるバッテリ装置は、上記発明において、前記連通手段は、前記装置外部が内部より所定圧力以上の陰圧になった場合に、前記装置内部と外部とを連通させる逆止弁を有することを特徴とする。
【００１１】
また、請求項４の発明にかかるバッテリ装置は、上記発明において、前記連通手段は、少なくとも一部が前記バッテリ手段の電極部が接触する電極からなることを特徴とする。
【００１２】
また、請求項５の発明にかかる内視鏡装置は、電気により作動する機能実行手段と、前記機能実行手段に電気を供給するバッテリ手段を収容するための収容部を形成し、前記機能実行手段と電気的に導通する電極部を有する収容手段と、前記収容手段に設けられ、前記収容手段の内部と外部とを連通または閉鎖可能な連通手段と、を備えるバッテリ装置と、前記所定対象装置としての内視鏡操作部と、前記バッテリ装置内部と前記内視鏡操作部内部を連通させる連通孔と、を備えることを特徴とする。
【００１３】
また、請求項６の発明にかかる内視鏡装置は、上記発明において、前記バッテリ装置は、前記所定対象装置に装着される装着手段を、さらに備えることを特徴とする。
【００１４】
また、請求項７の発明にかかる内視鏡装置は、上記発明において、前記連通手段は、前記バッテリ手段と接触可能な弁体と、前記弁体を前記バッテリ装置内部に付勢する付勢手段とを有し、前記弁体は、前記バッテリ手段との接触時に、前記バッテリ装置内部と前記内視鏡操作部内部との連通を閉鎖させ、前記バッテリ手段との非接触時に、前記付勢手段の付勢力によって前記バッテリ装置内部と前記内視鏡操作部内部とを連通させることを特徴とする。
【００１５】
また、請求項８の発明にかかる内視鏡装置は、上記発明において、前記連通手段は、前記バッテリ装置外部が内部より所定圧力以上の陰圧になった場合に、前記バッテリ装置内部と外部とを連通させる逆止弁を有することを特徴とする。
【００１６】
また、請求項９の発明にかかる内視鏡装置は、上記発明において、前記連通手段は、少なくとも一部が前記バッテリ手段の電極部が接触する電極からなることを特徴とする。
【発明の効果】
【００１７】
本発明にかかるバッテリ装置は、装置内部と外部を連通または閉鎖可能な連通手段を設け、前記連通手段と前記装置内部に収容されたバッテリ手段との接触時に、装置内部と外部との連通を閉鎖させ、また前記連通手段とバッテリ手段との非接触時に、装置内部と外部とを連通させることで、たとえばオートクレーブ滅菌を行う前に、バッテリの取り出し忘れを防止し、オートクレーブ滅菌を安全で確実に行うことができるという効果を奏する。
【００１８】
本発明にかかる内視鏡装置は、装着手段によってバッテリ装置を内視鏡操作部に装着させるとともに、前記バッテリ装置内部と内視鏡操作部内部を連通させる連通孔を設け、かつ連通手段によって前記バッテリ装置内部と内視鏡操作部内部との連通または閉鎖を可能にして、前記連通手段とバッテリ装置内部に収容されたバッテリ手段との接触時に、前記バッテリ装置内部と内視鏡操作部内部との連通を閉鎖させ、また前記連通手段とバッテリ手段との非接触時に、前記バッテリ装置内部と内視鏡操作部内部を連通させることで、たとえばオートクレーブ滅菌を行う前に、バッテリの取り出し忘れを防止し、オートクレーブ滅菌を安全で確実に行うことができるという効果を奏する。
【発明を実施するための最良の形態】
【００１９】
以下に、本発明にかかるバッテリ装置および内視鏡装置の実施の形態を図１〜図１５の図面に基づいて詳細に説明する。なお、本発明は、これらの実施の形態に限定されるものではなく、本発明の要旨を逸脱しない範囲で種々の変更実施の形態が可能である。
【００２０】
（実施の形態１）
図１は、本発明にかかるバッテリ装置を用いる携帯型内視鏡装置の構成の一例を示す斜視図である。図において、内視鏡装置１は、液体の漏れや透過を防ぐ水密構造の内視鏡２と、この内視鏡２に着脱自在に装着されて電気的に接続されるバッテリ装置３とで構成されている。また、この内視鏡２には、バッテリ装置３の代わりに、図示しないライトガイドケーブルを着脱自在に装着させることも可能である。
【００２１】
この内視鏡２は、一端に設けられた接眼部２１と、この接眼部２１が取り付けられる取り付け側に設けられた操作部２２と、この操作部２２の他端に設けられ、被検体内に挿入される細長の円筒形状の挿入部２３とを有する。この取り付け側の操作部２２の側面には、ライトガイド口金２２ａが突出して設けられており、バッテリ装置３の接続部３１が着脱自在に接続される。また、この操作部２２の側面には、異なる位置に、挿入部２３先端の湾曲動作の操作を行うための湾曲操作レバー２２ｂと、吸引操作を行うための吸引ボタン２２ｃとがそれぞれ突設されている。この吸引ボタン２２ｃの側面には、内視鏡２内に設けられた吸引チャンネル（図示せず）に連通する吸引口金２２ｄが突出しており、たとえばこの吸引口金２２ｄにチューブを取り付け、このチューブを介して所定の吸引装置に接続させ、上述した吸引ボタン２２ｃを適宜操作することで、挿入部２３、吸引チャンネルおよび吸引口金２２ｄを介して体腔内の液体などの吸引排出を行うことができる。
【００２２】
また、この操作部２２には、内視鏡２を保持して固定するために、医者などが把持する把持部２２ｅが設けられている。この操作部２２において、挿入部２３が取り付けられる取り付け側には、鉗子を挿入するための鉗子挿入口２２ｆが突設されており、この鉗子挿入口２２ｆは、通常鉗子栓２２ｇで閉塞されている。また、鉗子挿入口２２ｆの対向側には、たとえば通気口金２２ｈが設けられ、この通気口金２２ｈから内視鏡２内部に空気を送入することによって、内視鏡２の水漏れ検査を行うことが可能となる。
【００２３】
被検体内に挿入される挿入部２３は、先端に設けられた硬質の先端部２３ａと、操作部２２の操作によって湾曲動作を行う湾曲部２３ｂと、柔軟性を有する可撓管２３ｃとを備え、これらの部位は一列に連なるように構成されている。
【００２４】
挿入部２３内には、バッテリ装置３から出射された照明光を導くためのライトガイドファイバ（図示せず）が内装されている。このライトガイドファイバの基端は、操作部２２内部で屈曲され、ライトガイド口金２２ａ内に固定されている。また、このライトガイドファイバの先端は、挿入部２３の先端に設けられた照明窓２３ｄに固定されている。したがって、内視鏡装置１は、バッテリ装置３から出射された照明光を、ライトガイド口金２２ａからライトガイドファイバを通って、照明窓２３ｄから外部に照射でき、これにより挿入された被検体の体腔内を照明することが可能となる。また、ライトガイド口金２２ａの外周面には、接続用の雄ネジ部２２ｉが設けられている。
【００２５】
図２は、図１に示した操作部２２とバッテリ装置３の接続部３１の外観を説明するための図である。図１、図２において、バッテリ装置３の接続部３１は、外周面に設けられた接続環３１ａを有し、接続環３１ａは、内周面に形成されている雌ネジ部３１ｂと、雌ネジ部３１ｂの外周面を被覆するネジカバー３１ｃとを備えている。この接続環３１ａは、円筒形状の接続口金３１ｄの外周面を囲繞するように設けられ、かつ接続口金３１ｄの長手方向の移動が一定の範囲で移動可能なように規制された状態で、この接続口金３１ｄに取り付けられている。そして、この雌ネジ部３１ｂが、ライトガイド口金２２ａの外周面に設けられた雄ネジ部２２ｉと螺合するように構成されている。
【００２６】
また、接続口金３１ｄの外周面には、水密リング３１ｅが周設されており、接続部３１をライトガイド口金２２ａに接続させる時に、この水密リング３１ｅがライトガイド口金２２ａの接続筒２２ｊの内周面に密着している。すなわち、このバッテリ装置３の接続環３１ａを所定方向に回転させ、ライトガイド口金２２ａの雄ネジ部２２ｉと接続環３１ａの雌ネジ部を螺合させることで、内視鏡２のライトガイド口金２２ａに接続環３１ａが螺合固定され、かつ接続筒２２ｊと接続口金３１ｄが水密リング３１ｅによって密着されて、内視鏡２とバッテリ装置３が一体に組み合わされることとなる。この構成により、この連結部での水密が確保される。
【００２７】
図３は、図１に示したバッテリを収容した場合の実施の形態１にかかるバッテリ装置のＡ−Ａ断面の概略構成を示す断面図であり、図４は、同じく、バッテリを取り出した場合の実施の形態１にかかるバッテリ装置のＡ−Ａ断面の概略構成の一例を示す断面図である。図３、図４において、バッテリ装置３は、横長の長方体形状の枠体からなり、機能実行手段としてのランプ５０を収容するランプ収容部３２と、バッテリ手段としてのバッテリ３４を収容する収容手段としてのバッテリ収容空間を形成する内面３３ｂを有する縦長の長方体形状の枠体からなるバッテリ収容部３３と、バッテリ収容部３３の上端部に、たとえば蝶番式で開閉自在に連結された蓋体３５とを備える。
【００２８】
ランプ収容部３２は、断面略Ｌ字形状の収容部本体３２ａと、ランプ５０を保持するランプ保持部３２ｂと、収容されたランプ５０の先端で接続口金３１ｄの内周面に保持されるレンズ３２ｃとを備える。収容部本体３２ａは、バッテリ収容部３３の底面部も構成しており、この底面部には、バッテリ収容部３３に収容されたバッテリ３４の電極部が接触する円柱形状の電極板３３ａが固設されている。この電極板３３ａは、ランプ５０の基端電極５０ａと接続されている。また、ランプ５０は、この基端電極５０ａの他に、金属製の筒体の外周部から形成される電極５０ｂを備え、この電極５０ｂは、導電性のランプ保持部３２ｂを介して、接続端子（図中、コイルバネ３５ａ）に接続されている。
【００２９】
また、図３において、収容部本体３２ａの底面部から下面部には、バッテリ収容部３３の内部と外部を連通する連通孔３２ｄが開口している。この連通孔３２ｄには、バッテリ３４の下端と接触可能に形成される断面略Ｔ字形状の弁体３２ｅと、この弁体３２ｅを付勢させてバッテリ収容部３３の内部に突出させるスプリング３２ｆと、バッテリ３４の重みによってバッテリ収容部３３の底面部と接触する弁体３２ｅの接触面に設けられるＯリング３２ｇとが備えられている。なお、この弁体３２ｅとスプリング３２ｆとは、本発明にかかる連通手段を構成している。また、連通孔３２ｄにおけるバッテリ収容部３３の底面部側と、弁体３２ｅの接触面とは、互いに係合可能なテーパ形状に形成されており、Ｏリング３２ｇは、この弁体３２ｅのテーパ状の接触面に付設されている。したがって、弁体３２ｅとバッテリ収容部３３の底面部との接触時には、このバッテリ装置３内部の水密が確保される。
【００３０】
蓋体３５は、非導電部材で形成されており、閉状態でバッテリ３４と接続されるコイルバネ３５ａを備える。この実施の形態では、バッテリ収容部３３の内面３３ｂ内に、バッテリ３４が挿入および収容され、蓋体３５を閉めた時に、バッテリ３４がコイルバネ３５ａに接触して直列状態で接続される。電極板３３ａおよびコイルバネ３５ａは、直列に接続されたバッテリ３４の電力を電源回路（図示せず）に供給し、この電源回路には、バッテリ３４の電圧を、ランプ５０の定格電圧、たとえば４．８Ｖに変換する変圧回路（図示せず）が設けられている。これにより、バッテリ３４とランプ５０とは電気的に接続され、バッテリ３４からランプ５０への電源供給を可能にしている。
【００３１】
また、バッテリ装置３は、蓋体３５が連結された上端部と対向する上端部に、たとえばバックル式のロック機構によるロック機構部（図示せず）を備えており、蓋体３５は、このロック機構による閉蓋動作に基づいて、バッテリ収容部３３に一体固定されている。
【００３２】
この構成により、この実施の形態では、図３に示すように、バッテリ装置３の使用時に、バッテリ３４をバッテリ収容部３３の内面３３ｂ内に収容すると、バッテリ３４の一端が弁体３２ｅに当接し、上記ロック機構部による蓋体３５の閉蓋動作に基づいて、バッテリ３４が図３中、下方（矢印Ｂ方向）に押し下げられる。これに伴い、バッテリ３４が当接する弁体３２ｅを下方に押し下げ、バッテリ収容部３３の底面部に、弁体３２ｅの接触面が接触して、バッテリ装置３内部が水密に保持される。
【００３３】
また、図４に示すように、オートクレーブ時には、蓋体３５を開口し、バッテリ３４をバッテリ収容部３３の内部から取り出すことによって、バッテリ３４と弁体３２ｅの当接が解除される。これによって、弁体３２ｅは、スプリング３２ｆの付勢力によって、上方に押し上げられ、バッテリ収容部３３の内部と外部とが連通され、加圧蒸気が連通孔３２ｄを通ってバッテリ収容部３３の内部に浸入し、バッテリ装置３全体を滅菌することが可能となる。
【００３４】
このように、この実施の形態では、バッテリ装置内部と外部を連通または閉鎖可能な弁体を設け、弁体とバッテリとの接触時には、弁体がバッテリ収容部の底面部に接触して、バッテリ装置内部と外部との連通を閉鎖させ、また弁体とバッテリとの非接触時には、バネの付勢力によって、弁体がバッテリ装置内部に押し上げられて、バッテリ装置内部と外部とを連通させるので、オートクレーブ滅菌を行う前に、バッテリの取り出し忘れを防止し、オートクレーブ滅菌を安全で確実に行うことができる。
【００３５】
なお、この実施の形態では、電極部３３ａの代わりに連通手段の一部、たとえば弁体３２ｅを導電性素材からなる電極とすることも可能であり、これにより弁体３２ｅとバッテリ３４との接触時には、弁体３２ｅからバッテリ収容部３３の底面部に接触して、バッテリ装置内部と外部の連通を閉鎖させ、かつバッテリ３４とランプ５０とを電気的に接続させ、また弁体３２ｅとバッテリ３４との非接触時には、バネの付勢力によって、弁体３２ｅがバッテリ収容部３３内部に押し上げられて、バッテリ装置内部と外部を連通させるので、オートクレーブ滅菌を行う前に、バッテリの取り出し忘れを防止し、オートクレーブ滅菌を安全で確実に行うことができる。
【００３６】
（実施の形態２）
図５は、図１において、バッテリを収容した場合の実施の形態２にかかるバッテリ装置のＡ−Ａ断面の概略構成を示す断面図であり、図６は、同じく、バッテリを取り出した場合の実施の形態２にかかるバッテリ装置のＡ−Ａ断面の概略構成を示す断面図である。なお、以下の図において、図３、図４と同様の構成部分については、説明の都合上、同一符号を付記する。
【００３７】
この実施の形態において、実施の形態１と異なる点は、ランプ収容部３２が、ランプ５０を嵌合してランプ保持部３２ｂに保持させる水密構造の水密リング３２ｈと、水密リング３２ｈに付設されるランプ接点バネ部３２ｉとを備える点である。収容部本体３２ａは、たとえば絶縁性の樹脂素材で一端に太径の孔からなる太孔部と、細径の孔からなり大孔部に連通する細孔部とを有して形成され、これら孔部は、外部と連通している。水密リング３２ｈは、この収容部本体３２ａの太孔部に嵌合可能に形成されている。ランプ接点バネ部３２ｉは、この収容部本体３２ａの細径部とネジなどによって嵌合可能で、かつ細孔部に挿入、保持されたランプ５０の基端電極５０ａと接続可能な接点バネから形成されている。また、ランプ接点バネ部３２ｉは、後述する弁体と接続されている。
【００３８】
また、バッテリ収容部３３の底面には、収容部本体３２ａの孔部３２ｊと収容部本体３２ａ内部を連通する通気弁３６が設けられ、この通気弁３６には、図６に示すように、上端に逆止弁３８を備える円筒形状のアダプタ３７が着脱可能に取り付けられている。この通気弁３６と逆止弁３８を備えるアダプタ３７とは本発明にかかる弁体を構成しており、この弁体の構造は、たとえば特開２０００−１５７４８３号公報に記載されている内視鏡装置と同様の構成なので、詳細は省略するが、異なる点は、通気弁３６が導電性素材で構成されて、バッテリ３４の電極部と接触する電極の機能を有する点であり、通気弁３６は、上述したランプ接点バネ部３２ｉと接続されている。
【００３９】
接続口金３１ｄの内周面には、収容部本体３２ａ内部と外部とを連通する連通孔３１ｆが設けられており、このバッテリ装置３が内視鏡操作部２２に装着された時に、この連通孔３１ｆを介して収容部本体３２ａ内部と内視鏡操作部２２内部が連通する。
【００４０】
この実施の形態では、オートクレーブ滅菌を行う際に、図５に示したバッテリ３４をバッテリ収容部３３内から取り出し、代わりに図６に示すようにアダプタ３７をバッテリ収容部３３内に挿入して通気弁３６に装着し、通気弁３６のピン３６ａとアダプタ３７の長手方向に切り欠いた溝部３７ａを係合する。次に、通気弁３６が開状態になるようにアダプタ３７を周方向に回す。この状態で、オートクレーブ陰圧工程に至ると、逆止弁３８が開状態となり、連通孔３１ｆ、収容部本体３２ａ、孔部３２ｊおよび通気弁３６を介して、気体を内視鏡装置１内部から外部へと通過させるが、外部の圧力が高い時には、逆止弁３８が閉状態となって、外部から内視鏡装置１内部へ気体を侵入させない状態とする。そして、オートクレーブ滅菌終了後には、このアダプタ３７を取り外すことで、内視鏡装置１内外が通気できるようにして、オートクレーブ滅菌時の圧力差による内視鏡装置１の一部が破損することを防止するように動作する。
【００４１】
このように、この実施の形態では、バッテリに代えて、逆止弁を含む弁体をバッテリ装置内部に設け、内視鏡装置内部と外部を連通または閉鎖可能とし、オートクレーブ陰圧工程時に逆止弁を開状態にして、内視鏡装置内部の減圧を可能にし、またオートクレーブ滅菌終了後には、逆止弁を取り外して内視鏡装置内外が通気できるようにするので、オートクレーブ滅菌を行う前に、バッテリの取り出し忘れを防止し、オートクレーブ滅菌を安全で確実に行うことができる。
【００４２】
なお、この実施の形態では、弁体として通気弁と逆止弁を用いてオートクレーブ陰圧工程時に内視鏡装置内部の減圧を可能にしたが、本発明はこれに限らず、上述した通気弁を用いずに、たとえば収容部本体の孔部に電極を兼用する口金を設け、この口金に逆止弁を有するアダプタを着脱可能に取り付けるように構成しても実施の形態２と同様にオートクレーブ陰圧工程時に対応でき、同様の効果を得ることができる。
【００４３】
（実施の形態３）
図７は、実施の形態３にかかる内視鏡操作部とバッテリ装置との相対位置の違いによるバッテリ装置のスイッチ操作を説明するための図である。図において、この実施の形態では、操作部２２にバッテリ装置３を螺合固定する際に、バッテリ装置３のバッテリ収容部３３を内視鏡２の長手方向に対して平行な相対位置関係（図７中、二点鎖線に示す位置関係）に設定し、ランプ５０が点灯しないように、バッテリ装置をオフ状態にしておく。
【００４４】
次に、このオフ状態の位置を基準に、かつ水密リング３２ｈを中心として、バッテリ収容部３３を時計の進行方向に９０度回転させて、図７の実線位置にバッテリ収容部３３を配置することにより、ランプ５０が点灯するオン状態になる。したがって、ライトガイド口金２２ａにバッテリ装置３を装着して、実線位置にバッテリ収容部３３を移動することにより、バッテリ装置３内に設けられたランプ５０が発光状態になる。
【００４５】
この実施の形態では、このバッテリ装置３が螺合される操作部２２の雄ネジ部２２ｉの下方に、操作部２２内部と連通するアダプタ用口金２２ｋを設け、逆止弁を有するアダプタ３９をこのアダプタ用口金２２ｋに着脱可能に取り付けるように構成することで、オートクレーブ陰圧工程時に対応する。なお、このアダプタ３９は、実施の形態２に示したアダプタ３７とほぼ同様の構成からなり、異なる点は、円筒形状に構成されたアダプタ３９の長さが、この実施の形態２のものより短く形成されている点である。
【００４６】
アダプタ用口金２２ｋは、バッテリ装置３がライトガイド口金２２ａに装着された時に、アダプタ３９がアダプタ用口金２２ｋに装着できず、またアダプタ３９がアダプタ用口金２２ｋに装着された時に、バッテリ装置３がライトガイド口金２２ａに装着できない位置に設けられている。これにより、オートクレーブ滅菌を行う際に、操作部２２のライトガイド口金２２ａからバッテリ装置３を取り外し、次に逆止弁を有するアダプタ３９をアダプタ用口金２２ｋに装着させて、オートクレーブ陰圧工程時に逆止弁が開いて、操作部２２内部を陰圧に設定することが可能となる。
【００４７】
このように、この実施の形態では、操作部のライトガイド口金近傍に、アダプタ用口金を設け、バッテリ装置が操作部に装着されている時には、アダプタ用口金へのアダプタ装着を阻止し、またアダプタが操作部に装着されている時には、ライトガイド口金へのバッテリ装置装着を阻止するので、オートクレーブ滅菌を行う前に、バッテリ装置の取り外し忘れおよびそれに伴うバッテリの取り出し忘れを防止し、オートクレーブ滅菌を安全で確実に行うことができる。
【００４８】
なお、この実施の形態では、口金の代わりに操作部２２と外部とを連通する、たとえば実施の形態２に示した通気弁を設け、逆止弁を有するアダプタをこの通気弁に着脱可能に取り付けるように構成することも可能である。
【００４９】
（実施の形態４）
図８は、実施の形態４にかかるバッテリ装置を用いる携帯型内視鏡装置の構成を示す図である。図において、内視鏡２は、図１に示した内視鏡とほぼ同様の構成をしており、異なる点は、操作部２２において、挿入部２３が取り付けられる取り付け側に、図５および図６に示した通気弁３６が設けられており、この通気弁３６は、操作部２２内部と外部とを連通可能に配設されている。
【００５０】
バッテリ装置３は、図８中、縦長の円筒形状の枠体からなり、ランプ（図示せず）を収容するランプ収容部３２と、バッテリ３４を収容する横長の円筒形状の枠体からなるバッテリ収容部３３と、バッテリ収容部３３の側端部に、たとえば螺合式で開閉自在に連結される蓋体３５とを備える。このランプ収容部３２とバッテリ収容部３３とは、たとえば図３及び図４に示すように、それぞれの収容部３２，３３の内部が連通しており、ランプ収容部３２の収容部本体３２ａにはバッテリ収容部３３の底面部と外部とを連通可能にする逆止弁（図６に示した逆止弁３８と同様の構成）が設けられている。
【００５１】
また、バッテリ収容部３３には、側端部から略Ｌ字形状に切り欠いた溝部３３ｃ（溝部３７ａと同様）が設けられており、この溝部３３ｃは、通気弁３６のピン３６ａに係合して、バッテリ収容部３３を周方向に回すことで、通気弁３６の開閉を可能に構成している。
【００５２】
このバッテリ装置３は、使用時にはバッテリ３４をバッテリ収容部３３内に収容し、蓋体３５をバッテリ収容部３３に螺合させた状態で、接続部３１をライトガイド口金２２ａに接続させることで密着されて、内視鏡２とバッテリ装置３が一体に組み合わされることとなる。
【００５３】
また、オートクレーブ時には、蓋体３５をバッテリ収容部３３から取り外し、バッテリ３４をバッテリ収容部３３の内部から取り出して、代わりにバッテリ収容部３３と通気弁３６とを係合させる。次に、通気弁３６のピン３６ａとバッテリ収容部３３の溝部３３ｃを係合させ、通気弁３６が開状態になるようにアダプタ３７を周方向に回す。この状態で、オートクレーブ陰圧工程に至ると、逆止弁３８が開状態となり、通気弁３６、バッテリ収容部３３内および収容部本体３２ａを介して、気体を内視鏡装置１内部から外部へと通過させるが、外部の圧力が高い時には、逆止弁３８が閉状態となって、外部から内視鏡装置１内部へ気体を侵入させない状態とする。そして、オートクレーブ滅菌終了後には、このバッテリ装置３を通気弁３６から取り外すことで、内視鏡装置１内外が通気できるようにして、オートクレーブ滅菌時の圧力差による内視鏡装置１の一部が破損することを防止するように動作する。
【００５４】
このように、この実施の形態では、バッテリに代えて、逆止弁をバッテリ装置内部に設け、内視鏡装置内部と外部を連通または閉鎖可能とし、オートクレーブ陰圧工程時に逆止弁を開状態にして、内視鏡装置内部の減圧を可能にし、またオートクレーブ滅菌終了後には、逆止弁を取り外して内視鏡装置内外が通気できるようにするので、オートクレーブ滅菌を行う前に、バッテリの取り出し忘れを防止し、オートクレーブ滅菌を安全で確実に行うことができる。
【００５５】
なお、本発明では、バッテリ装置３の収容部本体３２ａおよびバッテリ収容部３３に代えて、図９に示すように、蓋体３５に、通気弁３６のピン３６ａと係合する溝部３５ｇと、逆止弁３８を設けるように構成することも可能である。この場合にも、オートクレーブ時には、蓋体を開けてバッテリを取り出してからオートクレーブ陰圧工程を行うこととなるので、オートクレーブ滅菌を行う前に、バッテリの取り出し忘れを防止し、オートクレーブ滅菌を安全で確実に行うことができる。
【００５６】
（実施の形態５）
図１０は、バッテリ装置を一体に構成する実施の形態５にかかる携帯型内視鏡装置の構成の一例を示す斜視図である。図において、この実施の形態では、操作部２２とバッテリ装置３とは、分離ができないように一体に構成され、それぞれの内部が連通孔４０によって連通している。この連通孔４０には、図１１および図１２に示すように、バッテリ３４の下端と接触可能に形成される断面略十字形状の弁体４１と、この弁体４１をバッテリ装置３方向に付勢するスプリング４２と、バッテリ３４の重みによって操作部２２の上面部と接触する弁体４１の接触面に設けられるＯリング４３とが設けられている。なお、連通孔４０における操作部２２の上面部と、弁体４１の接触面とは、互いに係合可能なテーパ形状に形成されており、Ｏリング４３は、この弁体３２ｅのテーパ状の接触面に付設されている。また、弁体４１の接触面と対向する上面には、溝部４１ａが設けられており、この溝部４１ａは、スプリング４２の付勢力によって、弁体４１の上面がバッテリ収容部３３の下面に接触した時に操作部２２内部とバッテリ収容部３３内部との連通を可能な状態にしている。
【００５７】
また、操作部２２内には、ランプ５０と、このランプ５０から照射された光を挿入部２３先端に導光するライトガイドファイバ６０の基端が設けられており、このランプ５０には、バッテリ装置３内に収容されたバッテリ３４からランプ５０に電源が供給されている。
【００５８】
この構成により、この実施の形態では、図１１に示すように、内視鏡装置１の使用時に、バッテリ３４をバッテリ収容部３３内に収容すると、バッテリ３４の一端が弁体４１に当接し、ロック機構部による蓋体３５の閉蓋動作に基づいて、バッテリ３４が図１１中、下方（矢印Ｃ方向）に押し下げられる。これに伴い、バッテリ３４が当接する弁体４１を下方に押し下げ、操作部２２の上面部に、弁体４１の接触面が接触して連通孔４０を閉塞し、バッテリ装置３内部が水密に保持される。
【００５９】
また、図１２に示すように、オートクレーブ時には、蓋体３５を開口し、バッテリ３４をバッテリ収容部３３の内部から取り出すことによって、バッテリ３４と弁体４１の当接が解除される。これによって、弁体４１は、スプリング４２の付勢力によって、上方に押し上げられ、バッテリ収容部３３の内部と操作部２２の内部とが連通され、加圧蒸気が連通孔４０を通ってバッテリ収容部３３の内部に浸入し、バッテリ装置３全体を滅菌することが可能となる。
【００６０】
このように、この実施の形態では、バッテリ装置内部と操作部内部との連通または閉鎖可能な弁体を設け、弁体とバッテリとの接触時には、弁体が操作部の上面に接触して、バッテリ装置内部と操作部内部との連通を閉鎖させ、また弁体とバッテリとの非接触時には、バネの付勢力によって、弁体がバッテリ装置下面に押し上げられて、バッテリ装置内部と操作部内部とを連通させるので、オートクレーブ滅菌を行う前に、バッテリの取り出し忘れを防止し、オートクレーブ滅菌を安全で確実に行うことができる。
【００６１】
なお、この実施の形態でも、実施の形態１の変形例と同様に、弁体４１をバッテリ３４の電極部と接触する電極の機能を兼ね備えるように構成とすることが可能である。
【００６２】
（実施の形態６）
図１３は、図１０において、バッテリを収容した場合の実施の形態６にかかるバッテリ装置の構成を示す断面図であり、図１４は、同じく、バッテリを取り出した場合の実施の形態６にかかるバッテリ装置の構成を示す断面図である。図１３、図１４において、実施の形態５と異なる点は、蓋体３５が円柱形状に形成されており、蓋体３５の円周面上で、一端側と中央付近に設けられたＯリング３５ｂ，３５ｃと、一端から円周面を貫通する略Ｌ字形状の穴部３５ｄと、この穴部３５ｄの一端側に設けられ、バッテリ装置３内部と外部とを連通または閉鎖可能な逆止弁３８を有する口金４４とを備える点である。この実施の形態では、蓋体３５の上下を反対にしてバッテリ装置３に取り付けることにより、バッテリ収容部３３内と外部との連通または連通の閉鎖を行う。この逆止弁３８は、図６に示した逆止弁と同様の構成からなるので、詳細な説明は省略する。
【００６３】
口金４４は、導電性素材で構成されて、バッテリ３４の電極部と接触する電極の機能を有しており、使用時には、図１３に示すように、バッテリ収容部３３内に収容されたバッテリ３４の電極部と接触している。なお、この際に蓋体３５は、中央付近に設けたＯリング３５ｃを介して、バッテリ収容部３３の上端と係合しており、穴部３５ｄは、全てバッテリ収容部３３内に収容されることとなって、バッテリ収容部３３内と外部との連通を閉鎖している。この口金は、たとえば図１０に示したランプ５０の基端電極と接続されている。
【００６４】
また、オートクレーブ時には、図１４に示すように、口金４４が外部に突出するように、蓋体３５をバッテリ収容部３３の上端と係合させる。この際に蓋体３５は、一端側に設けたＯリング３５ｂを介して、バッテリ収容部３３の上端と係合し、穴部３５ｄは、外部と、バッテリ収容部３３内部および連通孔４０を介して操作部２２内部との連通を可能にする。したがって、逆止弁３８が開状態の場合には、この穴部３５ｄを介して気体が通過することとなる。ところで、蓋体３５において、Ｏリング３５ｃから口金４４の先端までの高さと、Ｏリング３５ｃから他端である蓋体３５の端部までの高さとは、ほぼ等しく形成されている。このため、この実施の形態では、たとえばバッテリ３４がバッテリ収容部３３内部に収容されている状態で、図１４に示すように、口金４４が外部に突出するようにして、蓋体３５をバッテリ収容部３３の上端と係合させようとしても、バッテリ３４に蓋体３５の端部が当接して、蓋体３５が正しくバッテリ収容部３３と係合しなくなるので、オートクレーブ時にバッテリ３４が収容されていることを容易に認識することができる。
【００６５】
このように、この実施の形態では、逆止弁を有する口金を蓋体に設け、かつこの口金をバッテリの電極部と接触する電極の機能を持たせ、使用時には口金をバッテリ収容部内部に挿入して、バッテリと接触させてランプの点灯を可能にし、オートクレーブ時には、この口金を外部に突出させて外部と内視鏡装置内部との連通させて、オートクレーブ陰圧工程時に内視鏡装置内部の減圧を可能にするので、オートクレーブ滅菌を行う前に、バッテリの取り出し忘れを防止し、オートクレーブ滅菌を安全で確実に行うことができる。
【００６６】
なお、この実施の形態では、逆止弁を設けた口金の代わりに、たとえば実施の形態２と同様の通気弁を設け、逆止弁を有するアダプタをこの通気弁に取り付けることで、オートクレーブ時に対応させることも可能である。
【００６７】
（実施の形態７）
図１５は、実施の形態７にかかるバッテリ装置の構成を示す構成図である。この実施の形態は、バッテリ装置３と操作部２２を一体に構成した場合の一例であり、バッテリ３４とランプ５０は、収容部４５に組み込まれて電源ユニット４６を構成している。この電源ユニット４６は、ユニット収容空間を形成するバッテリ収容部３３の内面３３ｂと、同じくユニット収容空間を形成する蓋体３５の内面３５ｅとに収容され、バッテリ収容部３３と蓋体３５を螺合させることで、バッテリ装置３内部に固定されるとともに、蓋体３５に設けられたスイッチ３５ｆと電気的に接続される。このランプ５０は、蓋体３５に設けられたスイッチ３５ｆのオン・オフ動作によって、点灯と消灯を行うことができ、ランプ５０から照射された光は、操作部２２内部に設けられたライトガイドファイバ６０によって挿入部２３先端に導光される。
【００６８】
ここで、電源ユニット４６の長さＬ１は、図１５に示すように、バッテリ収容部３３の内面３３ｂの長さＬ２と、蓋体３５の内面３５ｅの長さＬ３とを合わせた長さである。したがって、電源ユニット４６の長さＬ１＞バッテリ収容部３３の内面３３ｂの長さＬ２の関係にあるので、蓋体３５が取り外されて電源ユニット４６がバッテリ収容部３３の内面３３ｂに収容された状態では、電源ユニット４６の一部が外部に露出しており、電源ユニット４６を容易に認識することができる。なお、この状態において、この実施の形態では、たとえば滅菌を行なっていない不潔領域のバッテリ３４は露出しないようにし、滅菌が施された清潔領域の収容部４５の一部のみを外部に露出させるように電源ユニット４６の長さと、バッテリ収容部３３の内面３３ｂの長さを設定するのが好ましい。
【００６９】
このように、この実施の形態では、バッテリ収容部の内面の長さよりも、電源ユニットの長さを長く形成し、かつバッテリ収容部内に電源ユニットを着脱可能に収容するので、たとえば診断終了時に、蓋体がバッテリ装置から取り外されると、バッテリを収容した電源ユニットの一部が外部に露出されることなり、これによってオートクレーブ滅菌を行う前に、バッテリの取り出し忘れを防止し、オートクレーブ滅菌を安全で確実に行うことができる。
【図面の簡単な説明】
【００７０】
【図１】本発明にかかるバッテリ装置を用いる携帯型内視鏡装置の構成の一例を示す斜視図である。
【図２】図１に示した操作部とバッテリ装置の接続部の外観を説明するための図である。
【図３】同じく、バッテリを収容した場合の実施の形態１にかかるバッテリ装置のＡ−Ａ断面の概略構成を示す断面図である。
【図４】同じく、バッテリを取り出した場合の実施の形態１にかかるバッテリ装置のＡ−Ａ断面の概略構成の一例を示す断面図である。
【図５】図１において、バッテリを収容した場合の実施の形態２にかかるバッテリ装置のＡ−Ａ断面の概略構成を示す断面図である。
【図６】同じく、バッテリを取り出した場合の実施の形態２にかかるバッテリ装置のＡ−Ａ断面の概略構成を示す断面図である。
【図７】実施の形態３にかかる内視鏡操作部とバッテリ装置との相対位置の違いによるバッテリ装置のスイッチ操作を説明するための図である。
【図８】実施の形態４にかかるバッテリ装置を用いる携帯型内視鏡装置の構成を示す図である。
【図９】図８に示した蓋体の構成の他例を示す図である。
【図１０】バッテリ装置を一体に構成する実施の形態５にかかる携帯型内視鏡装置の構成の一例を示す斜視図である。
【図１１】図１０に示した要部において、バッテリを収容した場合の構成を示す断面図である。
【図１２】同じく、要部において、バッテリを取り出した場合の構成を示す断面図である。
【図１３】同じく、バッテリを収容した場合の実施の形態６にかかるバッテリ装置の構成を示す断面図である。
【図１４】同じく、バッテリを取り出した場合の実施の形態６にかかるバッテリ装置の構成を示す断面図である。
【図１５】同じく、実施の形態７にかかるバッテリ装置の構成を示す構成図である。
【符号の説明】
【００７１】
１  内視鏡装置
２  内視鏡
３  バッテリ装置
２１  接眼部
２２  操作部
２２ａ  ライトガイド口金
２２ｂ  湾曲操作レバー
２２ｃ  吸引ボタン
２２ｄ  吸引口金
２２ｅ  把持部
２２ｆ  鉗子挿入口
２２ｇ  通常鉗子栓
２２ｈ  通気口金
２２ｉ  雄ネジ部
２２ｊ  接続筒
２２ｋ  アダプタ用口金
２３  挿入部
２３ａ  先端部
２３ｂ  湾曲部
２３ｃ  可撓管
２３ｄ  照明窓
３１  接続部
３１ａ  接続環
３１ｂ  雌ネジ部
３１ｃ  ネジカバー
３１ｄ  接続口金
３１ｅ，３２ｈ  水密リング
３１ｆ，３２ｄ，４０  連通孔
３２  ランプ収容部
３２ａ  収容部本体
３２ｂ  ランプ保持部
３２ｃ  レンズ
３２ｅ，４１  弁体
３２ｆ，４２  スプリング
３２ｇ，３５ｂ，３５ｃ，４３  Ｏリング
３２ｉ  ランプ接点バネ部
３２ｊ  孔部
３３  バッテリ収容部
３３ａ  電極板
３３ｂ  バッテリ収容部の内面
３３ｃ，３５ｇ  溝部
３４  バッテリ
３５  蓋体
３５ａ  コイルバネ
３５ｄ  穴部
３５ｅ  蓋体の内面
３５ｆ  スイッチ
３６  通気弁
３６ａ  ピン
３７，３９  アダプタ
３７ａ，４１ａ  溝部
３８  逆止弁
３９  アダプタ
４４  口金
４５  収容部
４６  電源ユニット
５０  ランプ
５０ａ  基端電極
５０ｂ  電極
６０  ライトガイドファイバ
【図１】
2006115909.tif 000003
【図２】
2006115909.tif 000004
【図３】
2006115909.tif 000005
【図４】
2006115909.tif 000006
【図５】
2006115909.tif 000007
【図６】
2006115909.tif 000008
【図７】
2006115909.tif 000009
【図８】
2006115909.tif 000010
【図９】
2006115909.tif 000011
【図１０】
2006115909.tif 000012
【図１１】
2006115909.tif 000013
【図１２】
2006115909.tif 000014
【図１３】
2006115909.tif 000015
【図１４】
2006115909.tif 000016
【図１５】
2006115909.tif 000017